(57)【要約】【課題】鉤及び床設計の双方を包括的にでき、スムースな着脱が可能で、装着後における安定感のある義歯を製作するための設計を施す装置を提供すること。【解決手段】下面に基準面を備えたユニバーサル基体２及び該基体に設けたユニバーサル球体とを含むユニバーサルジョイント機構Ｕと、該ユニバーサル球体に対して連結軸４を介して連結されている歯形模型セッティングプレート５とを有し、ユニバーサルジョイント機構が、ユニバーサル球体の中心点を含む一平面内に、Ｘ軸及び前記Ｘ軸に直交するＹ軸を規定し、Ｘ軸の軸芯のまわりにユニバーサル球体を介して連結軸の傾斜角度を調節して設定するための第１の角度調節設定手段６と、Ｙ軸の軸芯のまわりにユニバーサル球体を介して連結軸の傾斜角度を調節して設定するための第２の角度調節設定手段７とを設けたことを特徴とする２軸調節設定可能なサベイヤー用模型台装置。【選択図】  図１
2006051046.tif 000002
【特許請求の範囲】
【請求項１】
歯形石膏模型をセッティングして所望の角度位置に角度調節設定すためのサベイヤー用模型台装置であって、
下面に基準面を備えたユニバーサル基体及び前記ユニバーサル基体に設けたユニバーサル球体とを含むユニバーサルジョイント機構と、前記ユニバーサルジョイント機構におけるユニバーサル球体に対して連結軸を介して連結されている歯形模型をセッティングする歯形模型セッティングプレートとを有し、
前記ユニバーサルジョイント機構が、前記ユニバーサル球体の中心点を含む一平面内に、Ｘ軸及び前記Ｘ軸に直交するＹ軸を規定し、前記Ｘ軸の軸芯のまわりに前記ユニバーサル球体を介して前記連結軸の傾斜角度を調節して設定するための第１の角度調節設定手段と、前記Ｙ軸の軸芯のまわりに前記ユニバーサル球体を介して前記連結軸の傾斜角度を調節して設定するための第２の角度調節設定手段とを設けたことを特徴とする２軸調節設定可能なサベイヤー用模型台装置。
【請求項２】
基台テーブルと、歯形石膏模型をセッティングして所望の角度位置に角度調節設定すためのサベイヤー用模型台と、前記サベイヤー用模型台を前記基台テーブル上に支持するサベイヤー用模型台支持手段と、前記サベイヤー用模型台にセッティングされた歯形石膏模型に対してサベイヤーラインを印記するためのサベイヤーライン印記手段とを含むサベイヤー装置であって、
前記サベイヤー用模型台が、下面に基準面を備えたユニバーサル基体及び前記ユニバーサル基体に設けたユニバーサル球体とを含むユニバーサルジョイント機構と、前記ユニバーサルジョイント機構におけるユニバーサル球体に対して連結軸を介して連結されている歯形模型をセッティングする歯形模型セッティングプレートとを有し、
前記ユニバーサルジョイント機構が、前記ユニバーサル球体の中心点を含む一平面内に、Ｘ軸及び前記Ｘ軸に直交するＹ軸を規定し、前記Ｘ軸の軸芯のまわりに前記ユニバーサル球体を介して前記連結軸の傾斜角度を調節して設定するための第１の角度調節設定手段と、前記Ｙ軸の軸芯のまわりに前記ユニバーサル球体を介して前記連結軸の傾斜角度を調節して設定するための第２の角度調節設定手段とを備えたものからなり、
前記サベイヤー用模型台支持手段が、Ｚ軸を規定するとともにＺ軸軸芯整合手段を備えたものからなることを特徴とする義歯設計用サベイヤー装置。
【発明の詳細な説明】
【０００１】
【発明の属する技術分野】
この発明は、歯科技工用の機械器具に係るもので、特に、鉤設計（クラスプ設計）並びに床設計の双方を包括的に設計処理可能になすものであり、スムースな着脱が可能であって、装着後における安定感のある義歯を製作するための設計を施す目的に使用される２軸調節設定可能なサベイヤー用模型台装置及びこれを搭載した義歯設計用サベイヤー装置に関するものである。
【０００２】
【従来の技術】
周知のように、歯科治療に関して、例えば、抜歯などで歯牙が欠損した場合、咀嚼機能や審美性を回復するために義歯を装着する必要がある。このような義歯は、その製作手順として、まず、患者の口腔内を印象採取し、採取した印象にもとづいて、石膏製の歯形模型を作成する作業工程を含んでいる。この歯形石膏模型は、患者の歯肉部分と、この歯肉部分からのびる健全な残存歯牙部分と、抜歯などによる歯牙欠損部の歯肉部とを極めて忠実に印象して再現したものからなっている。この歯形石膏模型にもとづいて、例えば、患者の欠損歯牙部分を補綴する義歯を作成する。
【０００３】
鉤を有する義歯を設計する場合において、装着後の安定感のある義歯を製作するためには、鉤は重要な構成部材であり、それゆえに鉤の設計は極めて重要である。一般的な鉤設計法として、図１２Ａに示すサベイヤー装置（以下、Ａ型のサベイヤー装置という）を用いて、着脱方向を一方向で設計する方法がある。しかしながら、実際の臨床では、鉤歯と鉤歯の歯軸傾斜が異なるような場合とか、床と鉤の設計方向を別々に設定したい場合などがある。これらの場合、一般的に使用されている、図１２Ａに示すＡ型のサベイヤー装置は、模型固定台がユニバーサル上で固定される構造になっているので、一旦設定した着脱方向、即ち、一方向での設計方向になってしまう。これ以外の設計方向で行おうとしても、Ｘ軸方向及びＹ軸方向に対しての、角度目盛もないために、Ｘ軸方向及びＹ軸方向に対する任意の傾斜角度設定ができない装置であったために、経験と勘で、ユニバーサル上の模型固定台を傾けることしかできなかった。さらに、この一般的な設計法では、アンダーカットゲージを使用して、アンダーカット量を測定するもので、同じアンダーカットゲージで測定しても、曲率半径の違いによって、鉤の維持力が違った鉤が製作されてしまうという難点を有するものであった。
【０００４】
一方、上記する従来一般的なＡ型のサベイヤー装置にみられる難点を改良するべく、同一人の開発にかかる鉤設計用のサベイヤー装置（以下、Ｂ型のサベイヤー装置という）が特開平７−４７０８９号公開公報により公開されており、同じく同一人の開発にかかる鉤設計用のサベイヤー装置（以下、Ｃ型のサベイヤー装置という）が特開平９−２８９９９４号公開公報により公開されている。
【０００５】
上記する特開平７−４７０８９号公開公報に記載のあるＢ型のサベイヤー装置は、図１２Ｂに、その概略を示すように、〔Ｘ軸−Ｙ軸−模型（Ｘ−Ｙ−Ｍ）〕タイプのサベイヤー装置であって、角度目盛が付いたＸ軸およびＹ軸を回転させ、模型を傾斜させて、鉤外形線を表記するという鉤設計法を提案したものであった。さらに、上記する特開平９−２８９９９４号公開公報に記載のあるＣ型のサベイヤー装置は、Ｃ-1型のサベイヤー装置とＣ-2型のサベイヤー装置とを含むものであって、その公開公報中に、前記Ｂ型のサベイヤー装置との違いを詳細に述べている。上記するＣ型のサベイヤー装置は、前記Ｂ型のサベイヤー装置（Ｘ−Ｙ−Ｍ）の構造に対して、Ｚ軸を追加するとともに、そのＺ軸と模型の作用原点Ｍとを整合させるＺ軸整合機構を設けることによって、鉤設計に方向性を持たすことが可能になり、審美的な鉤設計が可能になった。さらに、このＢ型のサベイヤー装置は、Ｘ軸およびＹ軸で最初の着脱方向の設定を兼ねていたので、Ｘ軸およびＹ軸のどちらか一方が傾いている場合の角度設定の誤差が生じていた。この点に関して、前記Ｃ-1型のサベイヤー装置は、図１２Ｃ-1に、その概略を示すように、ユニバーサルジョイント機構をも追加してあるので、最初の着脱方向の設定を行うことにより、確実にＸ軸方向あるいはＹ軸方向に角度設定が可能となった。このＣ-1型のサベイヤー装置は、（Ｘ−Ｙ−Ｚ−Ｚ軸整合機構−Ｕ−Ｍ）によって構成されるものである。
【０００６】
さらに、このＣ型のサベイヤー装置は、Ｃ-2型のサベイヤー装置として改良が施され、図１２Ｃ-2に、その概略を示すように、回転軸Ｘ2 および回転軸Ｙ2 とユニバーサルジョイント機構Ｕとを追加することにより、模型を傾斜させて行う鉤設計法が、一方向でしか行えなかったのが、多方向で行うことができるようになった。このＣ-2型のサベイヤー装置は、（Ｘ1 −Ｙ1 −Ｚ−Ｚ軸整合機構−Ｙ2 −Ｘ2 −Ｕ−Ｍ）によって構成されるものである。
【０００７】
そこで、今回、この発明において提案するサベイヤー装置（以下、Ｄ型のサベイヤー装置という）は、図１２Ｄに、その概略を示すように、〔Ｎ−Ｚ−Ｚ整合機構−Ｕ（Ｘ−Ｙ）−Ｍ〕として構成されるものであって、上記するＣ-2型のサベイヤー装置（Ｘ1 −Ｙ1 −Ｚ−Ｚ軸整合機構−Ｙ2 −Ｘ2 −Ｕ−Ｍ）と比べた場合、作用軸の数を減らしたにもかかわらず、同じ機能を有する装置を構成するものであり、上記で提案している鉤設計法と多方向設計の実行が可能であるとともに、単純な構造になったことにより、安価に商品化することができるサベイヤー装置を提供する。
【０００８】
【課題を解決するための手段】
この発明は、上記する目的を達成するにあたって、具体的には、歯形石膏模型をセッティングして所望の角度位置に角度調節設定すためのサベイヤー用模型台装置であって、下面に基準面を備えたユニバーサル基体及び前記ユニバーサル基体に設けたユニバーサル球体とを含むユニバーサルジョイント機構と、前記ユニバーサルジョイント機構におけるユニバーサル球体に対して連結軸を介して連結されている歯形模型をセッティングする歯形模型セッティングプレートとを有し、前記ユニバーサルジョイント機構が、前記ユニバーサル球体の中心点を含む一平面内に、Ｘ軸及び前記Ｘ軸に直交するＹ軸を規定し、前記Ｘ軸の軸芯のまわりに前記ユニバーサル球体を介して前記連結軸の傾斜角度を調節して設定するための第１の角度調節設定手段と、前記Ｙ軸の軸芯のまわりに前記ユニバーサル球体を介して前記連結軸の傾斜角度を調節して設定するための第２の角度調節設定手段とを設けた２軸調節設定可能なサベイヤー用模型台装置を構成する。
【０００９】
さらに、この発明は、基台テーブルと、歯形石膏模型をセッティングして所望の角度位置に角度調節設定すためのサベイヤー用模型台と、前記サベイヤー用模型台を前記基台テーブル上に支持するサベイヤー用模型台支持手段と、前記サベイヤー用模型台にセッティングされた歯形石膏模型に対してサベイヤーラインを印記するためのサベイヤーライン印記手段とを含むサベイヤー装置であって、前記サベイヤー用模型台が、下面に基準面を備えたユニバーサル基体及び前記ユニバーサル基体に設けたユニバーサル球体とを含むユニバーサルジョイント機構と、前記ユニバーサルジョイント機構におけるユニバーサル球体に対して連結軸を介して連結されている歯形模型をセッティングする歯形模型セッティングプレートとを有し、前記ユニバーサルジョイント機構が、前記ユニバーサル球体の中心点を含む一平面内に、Ｘ軸及び前記Ｘ軸に直交するＹ軸を規定し、前記Ｘ軸の軸芯のまわりに前記ユニバーサル球体を介して前記連結軸の傾斜角度を調節して設定するための第１の角度調節設定手段と、前記Ｙ軸の軸芯のまわりに前記ユニバーサル球体を介して前記連結軸の傾斜角度を調節して設定するための第２の角度調節設定手段とを備えたものからなり、前記サベイヤー用模型台支持手段が、Ｚ軸を規定するとともにＺ軸軸芯整合手段を備えたものからなる義歯設計用サベイヤー装置を構成するものでもある。
【００１０】
【実施例の説明】
以下、この発明になる２軸調節設定可能なサベイヤー用模型台装置及びこれを搭載した義歯設計用サベイヤー装置について、図面に示す具体的な実施例にもとづいて詳細に説明する。
まず、この発明になる２軸調節設定可能なサベイヤー用模型台装置１の具体的な構成例について、図１〜図９にもとづいて説明する。図１は、当該２軸調節設定可能なサベイヤー用模型台装置１を搭載した義歯設計用サベイヤー装置ＳＡの全体的な構成（サベイヤーライン印記手段については図示せず）を示すものであり、図１Ａは、その概略的な斜視図、図１Ｂは、歯形石膏模型セッティングプレート上に歯形石膏模型をセットし、ユニバーサルジョイント機構におけるＸ軸並びにＹ軸を調節設定した状態を示す概略的な斜視図であり、図２は、当該２軸調節設定可能なサベイヤー用模型台装置１を搭載する前の状態を示す概略的な斜視図である。
【００１１】
一方、図３は、この発明になる２軸調節設定可能なサベイヤー用模型台装置１の具体的な構成例について、これをＸ軸方向並びにＹ軸方向に沿って分解して内部構造の詳細を示す概略的な斜視図、図４は、当該サベイヤー用模型台装置１の概略的な正面図、図５は、その概略的な平面図、図６は、図４におけるＡ−Ａ’線に沿って矢示方向にみた概略的なＡ−Ａ’線断面図である。図７は、当該２軸調節設定可能なサベイヤー用模型台装置１を、Ｚ軸軸芯整合手段を含むサベイヤー用模型台支持手段上に取り付けた状態を示すものであって、図７Ａは、図５におけるＢ−Ｂ’線に沿って矢示方向にみた概略的なＢ−Ｂ’線断面図であり、図７Ｂは、当該Ｂ−Ｂ’線に直交するＣ−Ｃ’線に沿って矢示方向にみた概略的なＢ−Ｂ’線断面図である。
【００１２】
上記する各図において詳細に示す通り、この発明になる２軸調節設定可能なサベイヤー用模型台装置１は、歯形石膏模型Ｍをセッティングして所望の角度位置に角度調節設定すためのものであって、下面に基準面Ｒｓを備えたユニバーサル基体２及び前記ユニバーサル基体２に設けたユニバーサル球体３とを含むユニバーサルジョイント機構Ｕと、前記ユニバーサルジョイント機構Ｕにおけるユニバーサル球体３に対して連結軸４を介して連結されている歯形模型Ｍをセッティングする歯形模型セッティングプレート５とを有するものからなっている。
【００１３】
この発明において、前記ユニバーサルジョイント機構Ｕは、前記ユニバーサル球体３の中心点Ｃｐを含む一平面Ｓａ内に、Ｘ軸及び前記Ｘ軸に直交するＹ軸を規定し、前記Ｘ軸の軸芯のまわりに前記ユニバーサル球体３を介して前記連結軸４の傾斜角度を調節してロックするための第１の角度調節設定手段６と、前記Ｙ軸の軸芯のまわりに前記ユニバーサル球体３を介して前記連結軸４の傾斜角度を調節してロックするための第２の角度調節設定手段７とを有している。
【００１４】
前記サベイヤー用模型台装置１の具体的な構成例について、さらに詳述する。前記ユニバーサル基体２は、立方体ブロックの形態をなしており、下面の基準面Ｒｓに対して直交差する垂直中心孔８と、前記第１の角度調節設定手段６のための第１の貫通孔９と、前記第２の角度調節設定手段７のための第２の貫通孔１０とを備えたものからなっている。
【００１５】
前記第１の角度調節設定手段６および前記第２の角度調節設定手段７の具体的構造は、同一構成のものであるので、以下、一方について説明する。図３に分解して示すように、前記第１および第２の角度調節設定手段は、それぞれ前記ユニバーサル球体３に対して、その一方の側に組み立てられる第１の組立体１１と、その他方の側に組み立てられる第２の組立体１２とからなっている。前記第１の組立体１１は、貫通孔（９あるいは１０）内において回転可能に嵌まり合うスリーブ部分１４およびフランジ部分１５を備えた押軸部材１３と、押軸部材１３におけるスリーブ部分１４内に収納されている拡張方向に働くコイルスプリング１６（図６および図７参照）と、押軸部材１３におけるスリーブ部分１４の外周に嵌まり合い、ピン１７、１７によって連結される目盛内リング部材１８と、目盛内リング部材１８の外周に回転可能に嵌まり合い、外周面に目盛２０を備え、止めネジ１９によって固定可能な目盛リング部材２１と、前記ユニバーサル基体２対してスペースカラー２２（図４参照）を介在してネジ２３によって固定され、基準目盛２４を備えた外枠プレート部材２５と、前記外枠プレート部材２５に設けたネジ孔２６に螺合し、押えボール２７を介して前記押軸部材１３を押動操作する操作ノブ部材２８（図中、Ｘ軸側の操作ノブ部材を２８Ｘとし、Ｙ軸側の操作ノブ部材を２８Ｙとする）とを含むものからなっている。
【００１６】
この第１の組立体１１に対して、前記ユニバーサル球体３の他方の側に組み立てられる第２の組立体１２は、前記ユニバーサル基体２の貫通孔（９あるいは１０）に嵌まり合う軸部分２９および外部フランジ部分３０を備えた押え枠部材３１と、前記ユニバーサル球体３に当接するベアリング部材３２とを含むものからなっており、前記押え枠部材３１は、取り付けネジ３３によって前記ユニバーサル基体２に固着されている。
【００１７】
前記ユニバーサルジョイント機構Ｕにおいて、前記ユニバーサル球体３における連結軸４の出力端側４ａには、歯形石膏模型Ｍをセッティングする歯形石膏模型セッティングプレート部材５が固着されている。前記歯形石膏模型セッティングプレート部材５は、歯形石膏模型Ｍを手際よくセットするに適した模型セッティング手段３４が設けてある。前記模型セッティング手段３４は、前記歯形石膏模型セッティングプレート部材５に設けてある多数の孔３５に対して適宜選択的に嵌め合わされる一対の受けピン３６、３６と、歯形石膏模型のサイドから締め付け可能な締め付けネジ３７を備えた締め付け部材３８とを含むものからなっている。
【００１８】
上記構成になるサベイヤー用模型台装置１によれば、例えば、Ｘ軸側の操作ノブ部材２８Ｘを締め付け、Ｙ軸側の操作ノブ部材２８Ｙを緩めると、Ｘ軸に沿って各部材が一体化して固着され、Ｘ軸の回りに角度調節設定することができ、Ｙ軸側の操作ノブ部材２８Ｙを締め付け、Ｘ軸側の操作ノブ部材２８Ｘを緩めると、Ｙ軸に沿って各部材が一体化して固着され、Ｙ軸の回りに角度調節設定することができる。すなわち、それぞれの軸に関して個別に角度調節設定することができる。当然のことながら、Ｘ軸側の操作ノブ部材２８ＸおよびＹ軸側の操作ノブ部材２８Ｙの双方を締め付ければ、当該サベイヤー用模型台装置１は完全にロックされ、Ｘ軸側の操作ノブ部材２８ＸおよびＹ軸側の操作ノブ部材２８Ｙの双方を緩めれば、当該サベイヤー用模型台装置１は完全なユニバーサル状態で自由に動き得るようにすることができる。
【００１９】
次いで、上記する２軸調節設定可能なサベイヤー用模型台装置１を搭載してなる義歯設計のためのサベイヤー装置ＳＡの具体的な構成例について詳細に説明する。この発明になる義歯設計用サベイヤー装置ＳＡは、基本的には、基台テーブル４１と、歯形石膏模型Ｍをセッティングして所望の角度位置に角度調節設定すためのサベイヤー用模型台１と、前記サベイヤー用模型台１を前記基台テーブル４１上に支持するためのサベイヤー用模型台支持手段４２と、前記サベイヤー用模型台１にセッティングされた歯形石膏模型Ｍに対してサベイヤーラインを印記するためのサベイヤーライン印記手段４３とを含むものからなっている。
【００２０】
この発明になる義歯設計用サベイヤー装置ＳＡにおいて、前記サベイヤー用模型台１は、下面に基準面Ｒｓを備えたユニバーサル基体２および前記ユニバーサル基体２に設けたユニバーサル球体３とを含むユニバーサルジョイント機構Ｕを備え、前記ユニバーサルジョイント機構Ｕにおけるユニバーサル球体３に対して連結軸４を介して連結されている歯形石膏模型Ｍをセッティングする歯形模型セッティングプレート５を備えており、前記ユニバーサルジョイント機構Ｕが、前記ユニバーサル球体３の中心点Ｃｐを含む一平面Ｓａ内に、Ｘ軸および前記Ｘ軸に直交するＹ軸を規定し、前記Ｘ軸の軸芯のまわりに前記ユニバーサル球体３を介して前記連結軸４の傾斜角度を調節して設定するための第１の角度調節設定手段６と、前記Ｙ軸の軸芯のまわりに前記ユニバーサル球体３を介して前記連結軸４の傾斜角度を調節して設定するための第２の角度調節設定手段７とを備えたものからなっている。
【００２１】
次いで、この発明になる義歯設計用サベイヤー装置ＳＡにおけるサベイヤー用模型台支持手段４２の詳細について述べる。前記サベイヤー用模型台支持手段４２は、前記基台テーブル４１に対して回転軸４４のまわりに回転可能に軸支されている略Ｌ字状の基礎アーム部材４５と、前記基礎アーム部材４５における立ち上がり片部分４５ａに対し、Ｎ軸のまわりに角度調節設定可能に連結してあるＺ軸軸芯整合手段４６とを含むものからなっている。
【００２２】
前記Ｚ軸軸芯整合手段４６は、図８にその詳細を分解して示す通り、前記Ｎ軸に支持される略Ｌ字状の回動アーム部材４７を有しており、前記回動アーム部材４７は、第１の片部分４８に設けた軸孔４９によってＮ軸に軸支されている。前記基礎アーム部材４５と回動アーム部材４７とは、Ｎ軸操作ノブ５０の操作によって、一例において、基礎アーム部材４５側に設けた基準目盛５１と、回動アーム部材４７側に設けた角度設定目盛５２との整合により角度調節設定し得るように構成されている。
【００２３】
この発明において、Ｚ軸軸芯整合手段４６における回動アーム部材４７は、前記第１の片部分４８に対して、直交差する第２の片部分５３を有しており、該第２の片部分５３は、比較的大きな径の内周面５３ａを有するリング体からなっている。前記第２の片部分５３におけるリング体には、リング体の内周面５３ａに対して回転可能に嵌まり合う部分５４ａを備え、径方向にのびる長孔５５を備えた回転ディスク部材５４が組み合わされ、前記第２の片部分５３におけるリング体の下面側にリング状プレート５６をあてがい、ネジ５７（図７参照）によって前記第２の片部分５３におけるリング体を回転可能に挟むようにして組み立てられている。
【００２４】
一方、前記サベイヤー用模型台１におけるユニバーサル基体２の下面基準面Ｒｓに対して一対のキー溝形成ブロック５８、５８がネジ５９によって固着されていて、該キー溝形成ブロック５８、５８によってキー溝６０並びにボルト挿通スペース６１とを形成する。このキー溝６０に対して摺動可能に係合する第１のキー６２と、該第１のキー６２に対して直交差し、前記回転ディスク部材５４に設けてある長孔５５に対して摺動可能に係合する第２のキー６３と、ボルト部分６４とを備えたボルト部材６５が準備される。このボルト部材６５に対しては、適当なワッシャー６６を介在させ、前記ボルト部材６５のボルト部分６４に螺合するネジ孔６８を備えた締め付けレバー部材６７がネジ合わせによって組み合わされている。
【００２５】
一方、この発明装置において、前記サベイヤーライン印記手段４３は、図１０に示す実施例にあって、基台テーブル４１上に上方に向けてのびるポール部材６９を含むものからなっている。前記サベイヤーライン印記手段４３は、図１０に示すように、異なる二種類（４３Ａおよび４３Ｂ）のサベイヤーライン印記手段を併用するべく構成されているが、どちらか一方だけでもよい。第１のサベイヤーライン印記手段４３Ａは、基本的には、印記芯体７０をＸ軸方向並びにＹ軸方向に分離して移動させ、それぞれ個別にロック可能な印記芯体作動機構７１を含むものからなっている。
【００２６】
前記サベイヤーライン印記手段４３Ａおよび４３Ｂは、前記ポール部材６８に取り付けてられていて、自由に旋回可能な継ぎ手部７２によって組み立てられているアーム７３を含むものからなっている。
【００２７】
次いで、この発明になる２軸調節設定可能なサベイヤー用模型台装置及びこれを搭載した義歯設計用サベイヤー装置に関して、以下に示す症例に対する設計を行う実行例について、図１１にもとづいて詳細に説明する。その前に、この実行例に出てくる動作の定義付けをする。この発明において、ユニバーサルジョイント機構Ｕとは、Ｘ軸、Ｙ軸上にロックのために設定されている両方の操作ノブ２８Ｘ、２８Ｙを緩めてユニバーサル状態に歯形石膏模型Ｍを可動させることであり、完全にロックする場合は、双方の操作ノブ２８Ｘ、２８Ｙを締め付ける。
【００２８】
Ｘ軸傾斜とは、Ｘ軸を作用させることであり、Ｘ軸操作ノブ２８Ｘを締めておき、Ｙ軸の操作ノブ２８Ｙを緩めてＸ軸を回転傾斜させもので、図１では、歯形石膏模型Ｍを近遠心的に傾斜させることである。その緩めたＹ軸操作ノブ２８Ｙを締め込むことで、任意の角度設定後に固定できる。Ｙ軸傾斜とは、Ｙ軸を作用させることであり、Ｙ軸操作ノブ２８Ｙを締めておき、Ｘ軸の操作ノブ２８Ｘを緩めてＹ軸を回転傾斜させもので、図１では、歯形石膏模型Ｍを頬舌的に傾斜させることである。その緩めたＸ軸操作ノブ２８Ｘを締め込むことで、任意の角度設定後に固定できる。
【００２９】
一方、Ｎ軸傾斜とは、Ｎ軸を作用させることであり、Ｎ軸上の操作ノブ５０を緩めてＮ軸を回転傾斜させる。回転傾斜作用方向は、図でいえば、Ｚ軸上に位置するサベイヤー用模型台装置１における歯形模型セッティングプレート５をＺ軸で回転させて、作用させたい方向に対して、直角交差になるようにすることである（図１１参照）。回転傾斜作角度を設定した後、操作ノブ５０を締め込むことでロックすることができる。
【００３０】
さらに、Ｚ軸軸芯整合機構とは、Ｘ軸およびＹ軸上に設定される溝５５、６０により、絶えずＸ、Ｙをクロス上に保ちながらガイドするように構成したものであり、歯形石膏模型Ｍの鉤作用中心域ＭｏをＺ軸原点に整合させるのに使用されるものである。
【００３１】
以下、図１１に示す症例、即ち、両側の歯牙[5][6][7] の欠損症例において、義歯の維持手段として両側の歯牙[4] に線鉤を施すこととし、その設計のうち鉤外形線を描く方法について、手順を追って説明する。
(1) Ｎ軸とＺ軸の角度目盛が０であることを確認した後、歯形石膏模型Ｍを歯形模型セッティングプレート５に固定する。その後、ユニバーサルジョイント機構Ｕを作用させて、取り敢えず、当該歯形石膏模型Ｍの咬合平面が水平になるようにするとともに、歯形石膏模型Ｍの正中線ＣＬがＸ軸と平行になるように設定することが必要であり、願わくば、Ｘ軸上に設定することが、角度傾斜設定を行う本装置においては、設計の誤差を低減させ得る意味において重要である。
(2) 歯形石膏模型Ｍの左右の鉤歯の歯軸や、アンダーカット領域および粘膜を観察してみて、左右バランスよくアンダーカットが捕らえられる基本設計方向ｄ1 を設定する（図１１参照）。右側[4] の鉤歯(a) は、咬合平面に垂直な設計方向ｄ1 が望ましい基本設計方向であるが、左側[4] の鉤歯(b) は、近心に５度傾斜させた方向ｄ2 が望ましいことがわかったので、それぞれの基本設計方向で行う多方向設計を行うことにする。
(3) Ｚ軸整合作用で歯形石膏模型Ｍの鉤作用中心域ＭｏをＺ軸原点に整合さす（図１１参照）。
(4) Ｘ軸、Ｙ軸目盛を０度設定する（図１Ａ参照、この図では模型が示されていないが、この段階では、既に模型Ｍはセットされている）。
(5) ｄ1 の設計方向でサベイヤーラインＳＬ1 を鉤歯(a)(b)に表記する。
(6) 鉤歯(a) の鉤外形線表記のために鉤作用方向Ａが、軸Ｎと直角交差するＡ’の方向になるようＺ軸を回転する。
(7) Ｎ軸を線鉤の鉤外形線を描くための所定の設定角度である１５度を矢印ｙa の方向に回転傾斜させて、サベイヤーラインＳＬ2 を描く。このラインＳＬ2 が鉤歯(a) の鉤外形線となる。
(8) 次に、鉤歯(b) の鉤外形線の表記の作業を行うが、基本設計方向がｄ2 であるので、あらかじめ近心に５度傾斜させる必要があるので、Ｘ軸を５度矢印の方向に回転傾斜させる（図１Ｂ参照）。
(9) 鉤歯(b) の鉤外形線表記のために鉤作用方向Ｂが、軸Ｎと直角交差するＢ’の方向になるようにＺ軸を回転する。
(10)Ｎ軸を線鉤の鉤外形線を描くための所定の設定角度である１５度を矢印ｙb の方向に回転傾斜させて、サベイヤーラインＳＬ2'を描く。このラインＳＬ2'が鉤歯(b) の鉤外形線となる。
このようにして、左右の鉤歯の基本設計方向が異なる多方向設計による鉤設計が、この発明になる装置によって行うことができる。
【図面の簡単な説明】
【図１】図１は、この発明になる２軸調節設定可能なサベイヤー用模型台装置１を搭載した義歯設計用サベイヤー装置ＳＡの全体的な構成（サベイヤーライン印記手段については図示せず）を示すものであり、図１Ａは、その概略的な斜視図、図１Ｂは、歯形石膏模型セッティングプレート上に歯形石膏模型をセットし、ユニバーサルジョイント機構におけるＸ軸並びにＹ軸を調節設定した状態を示す概略的な斜視図である。
【図２】図２は、当該２軸調節設定可能なサベイヤー用模型台装置１を搭載する前の状態を示す義歯設計用サベイヤー装置ＳＡの概略的な斜視図である。
【図３】図３は、この発明になる２軸調節設定可能なサベイヤー用模型台装置１の具体的な構成例について、これをＸ軸方向並びにＹ軸方向に沿って分解して内部構造の詳細を示す概略的な斜視図である。
【図４】図４は、当該サベイヤー用模型台装置１の概略的な正面図である。
【図５】図５は、当該サベイヤー用模型台装置１の概略的な平面図である。
【図６】図６は、図４におけるＡ−Ａ’線に沿って矢示方向にみた概略的なＡ−Ａ’線断面図である。
【図７】図７は、当該２軸調節設定可能なサベイヤー用模型台装置１を、Ｚ軸軸芯整合手段を含むサベイヤー用模型台支持手段上に取り付けた状態を示すものであって、図７Ａは、図５におけるＢ−Ｂ’線に沿って矢示方向にみた概略的なＢ−Ｂ’線断面図であり、図７Ｂは、当該Ｂ−Ｂ’線に直交するＣ−Ｃ’線に沿って矢示方向にみた概略的なＢ−Ｂ’線断面図である。
【図８】図８は、Ｚ軸軸芯整合機構の具体的な構造を軸方向に分解して示す概略的な斜視図である。
【図９】図９は、模型台の具体的な構成例を示すものであって、図９Ａは、その概略的な平面図、図９Ｂは、その概略的な正面図である。
【図１０】図１０は、この発明になる義歯設計用サベイヤー装置におけるサベイヤーライン印記手段の具体的な構成例を示す概略的な一側面図である。
【図１１】図１１は、この発明になる義歯設計用サベイヤー装置によって、サベイヤーラインを表記する実行例を説明するための歯形石膏模型を示す概略的な説明図である。
【図１２】図１２は、この発明になる義歯設計用サベイヤー装置の改良開発の経過を具体的な装置例を列記して比較するものであって、図１２Ａは、従来、一般的なＡ型のサベイヤー装置の概略的な斜視図、図１２Ｂは、Ｂ型のサベイヤー装置の概略的な斜視図、図１２Ｃ-1は、Ｃ-1型のサベイヤー装置の概略的な斜視図、図１２Ｃ-2は、Ｃ-2型のサベイヤー装置の概略的な斜視図、図１２Ｄは、この発明になるＤ型のサベイヤー装置の概略的な斜視図である。
【符号の説明】
１  ２軸調節設定可能なサベイヤー用模型台装置
ＳＡ  義歯設計用サベイヤー装置
Ｍ  歯形石膏模型
Ｍｏ  歯形石膏模型の鉤作用中心域
Ｕ  ユニバーサルジョイント機構
２  ユニバーサル基体
Ｒｓ  ユニバーサル基体の下面基準面
３  ユニバーサル球体
４  連結軸
５  歯形模型セッティングプレート
Ｃｐ  ユニバーサル球体の中心点
Ｓａ  中心点Ｃｐを含む面
６  第１の角度調節設定手段
７  第２の角度調節設定手段
８  垂直中心孔
９  第１の角度調節設定手段のための第１の貫通孔
１０  第２の角度調節設定手段のための第２の貫通孔
１１  第１の組立体
１２  第２の組立体
１３  押軸部材
１６  コイルスプリング
１７  ピン
１８  目盛内リング部材
２０  目盛
２４  基準目盛
２５  外枠プレート部材
２８  操作ノブ部材
２８Ｘ  Ｘ軸側の操作ノブ部材
２８Ｙ  Ｙ軸側の操作ノブ部材
３１  押え枠部材
３２  ベアリング部材
３４  模型セッティング手段
３６  一対のピン
３７  締め付けネジ
３８  締め付け部材
４１  基台テーブル
４２  サベイヤー用模型台支持手段
４３  サベイヤーライン印記手段
４６  Ｚ軸軸芯整合手段
５０  Ｎ軸操作ノブ
５１  基準目盛
５２  角度設定目盛
５５  長孔
５８  一対のキー溝形成ブロック
６０  キー溝
６２  第１のキー
６３  第２のキー
６５  ボルト部材
６７  締め付けレバー部材
６９  ポール部材
７０  印記芯体
７１  印記芯体作動機構
【図１】
2006051046.tif 000003
【図２】
2006051046.tif 000004
【図３】
2006051046.tif 000005
【図４】
2006051046.tif 000006
【図５】
2006051046.tif 000007
【図６】
2006051046.tif 000008
【図７】
2006051046.tif 000009
【図８】
2006051046.tif 000010
【図９】
2006051046.tif 000011
【図１０】
2006051046.tif 000012
【図１１】
2006051046.tif 000013
【図１２】
2006051046.tif 000014